(57)【要約】【課題】この発明は、内燃機関の排気浄化装置に関し、吸着材から吸着対象成分等の特定の成分を脱離させる脱離動作時に、脱離熱に起因する排気ガスの温度低下によって、吸着材の下流側に配置された触媒の浄化能力が低下するのを良好に回避することを目的とする。【解決手段】内燃機関１０の主排気通路１４を迂回するバイパス通路２０に配置され、排気ガス中に含まれる特定の成分（ＨＣ、ＮＯｘ）を吸着する吸着材２４を備える。当該吸着材２４よりも下流側の主排気通路１４に配置され、排気ガスを浄化可能な触媒１８を備える。この触媒１８に、当該触媒１８の浄化率が高くなる特定の浄化温度範囲で相転移を起こす潜熱型蓄熱材１８ａを備える。この潜熱型蓄熱材１８ａの潜熱容量Ｃｌａｔが、上記相転移に要する総熱量が吸着材２４から上記特定の成分が脱離する際の総脱離熱量Ｃｄｅｓｏｒｐ以上となるように設定する。【選択図】図２
2010001779.tif 000002
【特許請求の範囲】
【請求項１】
排気通路に配置され、排気ガス中に含まれる特定の成分を吸着する吸着材と、
前記吸着材よりも下流側の前記排気通路に配置され、排気ガスを浄化可能な触媒と、
前記触媒に備えられ、前記触媒の浄化率が高くなる特定の浄化温度範囲で相転移を起こす潜熱型蓄熱材とを備え、
前記潜熱型蓄熱材の潜熱容量が、前記相転移に要する総熱量が前記吸着材から前記特定の成分が脱離する際の総脱離熱量以上となるように設定されていることを特徴とする内燃機関の排気浄化装置。
【請求項２】
前記排気通路は、内燃機関から排出された排気ガスが流れる主排気通路と、前記主排気通路との上流側接続部において前記主排気通路から分岐し、前記上流側接続部より下流の下流側接続部において再び前記主排気通路に合流するバイパス通路とを含み、
前記吸着材は、前記バイパス通路に配置され、
前記潜熱型蓄熱材を備える前記触媒は、前記下流側接続部よりも下流側の前記主排気通路に配置されていることを特徴とする請求項１記載の内燃機関の排気浄化装置。
【請求項３】
前記吸着材からの前記特定の成分の脱離完了後から当該吸着材の吸着性能が回復するまでに要する時間が、前記潜熱型蓄熱材の前記相転移の開始から終了までに要する時間よりも短くなるように、前記吸着材の冷却性能が設定されていることを特徴とする請求項１または２記載の内燃機関の排気浄化装置。
【請求項４】
前記吸着材からの前記未浄化成分の脱離完了後から当該吸着材の吸着性能が回復するまでに要する時間が、前記潜熱型蓄熱材の前記相転移の開始から終了までに要する時間よりも短くなるように、前記潜熱型蓄熱材の保温性能が設定されていることを特徴とする請求項１または２記載の内燃機関の排気浄化装置。
【請求項５】
排気ガスの流入先を前記主排気通路と前記バイパス通路との間で切り替え可能な流路切替手段と、
前記潜熱型蓄熱材の温度を取得する温度取得手段と、
前記相転移が起こる温度よりも前記潜熱型蓄熱材の温度が高い場合に、前記吸着材に排気ガスが流入するように前記流路切替手段を制御する流路制御手段と、
を更に備えることを特徴とする請求項２乃至４の何れか１項記載の内燃機関の排気浄化装置。
【請求項６】
前記潜熱型蓄熱材の温度が、前記相転移が完了した後に前記潜熱型蓄熱材の温度が上昇し始める変曲点に達したか否かを判定する温度判定手段を更に備え、
前記流路制御手段は、前記潜熱型蓄熱材の温度が前記変曲点に達したと判定された場合に、前記吸着材に排気ガスが流入するように前記流路切替手段を制御することを特徴とする請求項５記載の内燃機関の排気浄化装置。
【請求項７】
排気通路に配置され、排気ガス中に含まれる特定の成分を吸着する吸着材と、
前記吸着材よりも下流側の前記排気通路に配置され、排気ガスを浄化可能な触媒と、
前記触媒に備えられ、前記触媒の浄化率が高くなる特定の浄化温度範囲で相転移を起こす潜熱型蓄熱材と、
前記吸着材への前記特定の成分の吸着量を取得する吸着量取得手段と、
取得された吸着量に基づいて前記潜熱型蓄熱材の必要蓄熱量を設定する蓄熱量設定手段と、
を備えることを特徴とする内燃機関の排気浄化装置。
【請求項８】
前記蓄熱量設定手段は、取得された吸着量分の前記特定の成分が前記吸着材から脱離する際の総脱離熱量を充足する熱量となるように、前記必要蓄熱量を設定することを特徴とする請求項７記載の内燃機関の排気浄化装置。
【請求項９】
前記蓄熱量設定手段は、
前記潜熱型蓄熱材への投入熱量を調整する投入熱量調整手段と、
前記潜熱型蓄熱材の蓄熱量を取得する蓄熱量取得手段とを含み、
前記投入熱量調整手段は、
取得された吸着量および蓄熱量に基づいて、前記潜熱型蓄熱材へ投入する熱量を調整することを特徴とする請求項７または８記載の内燃機関の排気浄化装置。
【請求項１０】
前記投入熱量調整手段は、
前記必要蓄熱量が前記潜熱型蓄熱材に蓄えられたか否かを判別する蓄熱量判別手段と、
前記潜熱型蓄熱材に前記必要蓄熱量が蓄えられたと判別された場合に、前記吸着材に吸着されていた前記特定の成分を前記吸着材から脱離させる脱離動作を実行する脱離動作実行手段と、
を更に備えることを特徴とする請求項７乃至９の何れか１項記載の内燃機関の排気浄化装置。
【請求項１１】
前記排気通路は、内燃機関から排出された排気ガスが流れる主排気通路と、前記主排気通路との上流側接続部において前記主排気通路から分岐し、前記上流側接続部より下流の下流側接続部において再び前記主排気通路に合流するバイパス通路とを含み、
前記吸着材は、前記バイパス通路に配置され、
前記潜熱型蓄熱材を備える前記触媒は、前記下流側接続部よりも下流側の前記主排気通路に配置されており、
前記排気浄化装置は、排気ガスの流入先を前記主排気通路と前記バイパス通路との間で切り替え可能な流路切替手段を更に備え、
前記脱離動作実行手段は、前記潜熱型蓄熱材に前記必要蓄熱量が蓄えられたと判別された場合に、前記吸着材に排気ガスが流入するように前記流路切替手段を制御する流路制御手段を含むことを特徴とする請求項１０記載の内燃機関の排気浄化装置。
【請求項１２】
前記排気浄化装置は、前記潜熱型蓄熱材における排気ガスの流れ方向の複数部位の温度をそれぞれ取得する温度取得手段を更に備え、
前記蓄熱量判別手段は、前記複数部位中の前記必要蓄熱量を充足する部位において、前記相転移が起こる温度よりも前記潜熱型蓄熱材の温度が高くなった時点で、前記潜熱型蓄熱材に前記必要蓄熱量が蓄えられたと判別することを特徴とする請求項１０または１１記載の内燃機関の排気浄化装置。
【請求項１３】
前記潜熱型蓄熱材は、排気ガスの流れ方向に複数部位に分割され、かつ、当該複数部位間で断熱された状態で前記触媒に備えられていることを特徴とする請求項７乃至１２の何れか１項記載の内燃機関の排気浄化装置。
【発明の詳細な説明】
【技術分野】
【０００１】
この発明は、内燃機関の排気浄化装置に関する。
【背景技術】
【０００２】
従来、例えば特許文献１には、メイン通路から分岐するバイパス通路に、排気の温度を抑制する蓄熱材、排気の炭化水素をトラップする吸着材、およびヒータ付き触媒を備える内燃機関の排気浄化装置が開示されている。この従来の排気浄化装置では、メイン通路に配置されたメイン触媒が未だ活性化していない始動直後には、切替バルブを操作してバイパス通路に排気を導くようにすることで、吸着材に炭化水素を吸着させるようにしている。そして、メイン触媒が活性化した後において、ヒータ付き触媒がヒータによる加熱によって活性温度になった際に、切替バルブを操作してバイパス通路に高温の排気を導くようにすることで、吸着材から炭化水素を脱離させるようにしている。
【０００３】
【特許文献１】特開平１０−１８４３４６号公報
【特許文献２】特開平５−７９３１９号公報
【特許文献３】特開平５−５９９３７号公報
【特許文献４】特開平１１−１２５１１３号公報
【発明の開示】
【発明が解決しようとする課題】
【０００４】
ところで、吸着材に吸着されていた炭化水素などの吸着対象成分や水分などの吸着阻害成分が吸着材から脱離する際には、脱離反応に伴う脱離熱の影響によって、吸着材を通過した排気ガスの温度が低下してしまう。その結果、吸着材の下流側に配置された触媒に流入する排気ガスの温度が低下することになるので、当該触媒の温度が低下してしまい、吸着材から脱離した上記吸着対象成分を当該触媒によって十分に浄化することが困難となる可能性がある。
【０００５】
この発明は、上述のような課題を解決するためになされたもので、吸着材から吸着対象成分等の特定の成分を脱離させる脱離動作時に、脱離熱に起因する排気ガスの温度低下によって、吸着材の下流側に配置された触媒の浄化能力が低下するのを良好に回避し得る内燃機関の排気浄化装置を提供することを目的とする。
【課題を解決するための手段】
【０００６】
第１の発明は、内燃機関の排気浄化装置であって、
排気通路に配置され、排気ガス中に含まれる特定の成分を吸着する吸着材と、
前記吸着材よりも下流側の前記排気通路に配置され、排気ガスを浄化可能な触媒と、
前記触媒に備えられ、前記触媒の浄化率が高くなる特定の浄化温度範囲で相転移を起こす潜熱型蓄熱材とを備え、
前記潜熱型蓄熱材の潜熱容量が、前記相転移に要する総熱量が前記吸着材から前記特定の成分が脱離する際の総脱離熱量以上となるように設定されていることを特徴とする。
【０００７】
また、第２の発明は、第１の発明において、
前記排気通路は、内燃機関から排出された排気ガスが流れる主排気通路と、前記主排気通路との上流側接続部において前記主排気通路から分岐し、前記上流側接続部より下流の下流側接続部において再び前記主排気通路に合流するバイパス通路とを含み、
前記吸着材は、前記バイパス通路に配置され、
前記潜熱型蓄熱材を備える前記触媒は、前記下流側接続部よりも下流側の前記主排気通路に配置されていることを特徴とする。
【０００８】
また、第３の発明は、第１または第２の発明において、
前記吸着材からの前記特定の成分の脱離完了後から当該吸着材の吸着性能が回復するまでに要する時間が、前記潜熱型蓄熱材の前記相転移の開始から終了までに要する時間よりも短くなるように、前記吸着材の冷却性能が設定されていることを特徴とする。
【０００９】
また、第４の発明は、第１または第２の発明において、
前記吸着材からの前記未浄化成分の脱離完了後から当該吸着材の吸着性能が回復するまでに要する時間が、前記潜熱型蓄熱材の前記相転移の開始から終了までに要する時間よりも短くなるように、前記潜熱型蓄熱材の保温性能が設定されていることを特徴とする。
【００１０】
また、第５の発明は、第２乃至第４の発明の何れかにおいて、
排気ガスの流入先を前記主排気通路と前記バイパス通路との間で切り替え可能な流路切替手段と、
前記潜熱型蓄熱材の温度を取得する温度取得手段と、
前記相転移が起こる温度よりも前記潜熱型蓄熱材の温度が高い場合に、前記吸着材に排気ガスが流入するように前記流路切替手段を制御する流路制御手段と、
を更に備えることを特徴とする。
【００１１】
また、第６の発明は、第５の発明において、
前記潜熱型蓄熱材の温度が、前記相転移が完了した後に前記潜熱型蓄熱材の温度が上昇し始める変曲点に達したか否かを判定する温度判定手段を更に備え、
前記流路制御手段は、前記潜熱型蓄熱材の温度が前記変曲点に達したと判定された場合に、前記吸着材に排気ガスが流入するように前記流路切替手段を制御することを特徴とする。
【００１２】
また、第７の発明は、内燃機関の排気浄化装置であって、
排気通路に配置され、排気ガス中に含まれる特定の成分を吸着する吸着材と、
前記吸着材よりも下流側の前記排気通路に配置され、排気ガスを浄化可能な触媒と、
前記触媒に備えられ、前記触媒の浄化率が高くなる特定の浄化温度範囲で相転移を起こす潜熱型蓄熱材と、
前記吸着材への前記特定の成分の吸着量を取得する吸着量取得手段と、
取得された吸着量に基づいて前記潜熱型蓄熱材の必要蓄熱量を設定する蓄熱量設定手段と、
を備えることを特徴とする。
【００１３】
また、第８の発明は、第７の発明において、
前記蓄熱量設定手段は、取得された吸着量分の前記特定の成分が前記吸着材から脱離する際の総脱離熱量を充足する熱量となるように、前記必要蓄熱量を設定することを特徴とする。
【００１４】
また、第９の発明は、第７または第８の発明において、
前記蓄熱量設定手段は、
前記潜熱型蓄熱材への投入熱量を調整する投入熱量調整手段と、
前記潜熱型蓄熱材の蓄熱量を取得する蓄熱量取得手段とを含み、
前記投入熱量調整手段は、
取得された吸着量および蓄熱量に基づいて、前記潜熱型蓄熱材へ投入する熱量を調整することを特徴とする。
【００１５】
また、第１０の発明は、第７乃至第９の発明の何れかにおいて、
前記投入熱量調整手段は、
前記必要蓄熱量が前記潜熱型蓄熱材に蓄えられたか否かを判別する蓄熱量判別手段と、
前記潜熱型蓄熱材に前記必要蓄熱量が蓄えられたと判別された場合に、前記吸着材に吸着されていた前記特定の成分を前記吸着材から脱離させる脱離動作を実行する脱離動作実行手段と、
を更に備えることを特徴とする。
【００１６】
また、第１１の発明は、第１０の発明において、
前記排気通路は、内燃機関から排出された排気ガスが流れる主排気通路と、前記主排気通路との上流側接続部において前記主排気通路から分岐し、前記上流側接続部より下流の下流側接続部において再び前記主排気通路に合流するバイパス通路とを含み、
前記吸着材は、前記バイパス通路に配置され、
前記潜熱型蓄熱材を備える前記触媒は、前記下流側接続部よりも下流側の前記主排気通路に配置されており、
前記排気浄化装置は、排気ガスの流入先を前記主排気通路と前記バイパス通路との間で切り替え可能な流路切替手段を更に備え、
前記脱離動作実行手段は、前記潜熱型蓄熱材に前記必要蓄熱量が蓄えられたと判別された場合に、前記吸着材に排気ガスが流入するように前記流路切替手段を制御する流路制御手段を含むことを特徴とする。
【００１７】
また、第１２の発明は、第１０または第１１の発明において、
前記排気浄化装置は、前記潜熱型蓄熱材における排気ガスの流れ方向の複数部位の温度をそれぞれ取得する温度取得手段を更に備え、
前記蓄熱量判別手段は、前記複数部位中の前記必要蓄熱量を充足する部位において、前記相転移が起こる温度よりも前記潜熱型蓄熱材の温度が高くなった時点で、前記潜熱型蓄熱材に前記必要蓄熱量が蓄えられたと判別することを特徴とする。
【００１８】
また、第１３の発明は、第７乃至第１２の発明の何れかにおいて、
前記潜熱型蓄熱材は、排気ガスの流れ方向に複数部位に分割され、かつ、当該複数部位間で断熱された状態で前記触媒に備えられていることを特徴とする。
【発明の効果】
【００１９】
第１の発明によれば、吸着材の脱離動作時に、触媒に流入する排気ガスの温度が吸着材での脱離熱に起因して低下した場合であっても、当該触媒の浄化率が高くなる特定の浄化温度範囲で相転移を起こす潜熱型蓄熱材に、吸着材から上記特定の成分が脱離する際の総脱離熱量以上の潜熱容量の熱が蓄えられているので、触媒の温度が潜熱型蓄熱材の相転移温度よりも低下するのを回避することができる。このため、本発明によれば、吸着材の脱離動作を行う際に、脱離熱に起因する排気ガスの温度低下によって、吸着材の下流側に配置された触媒の浄化能力が低下するのを良好に回避することができる。
【００２０】
第２の発明によれば、主排気通路を迂回するバイパス通路に吸着材が設けられており、かつ、当該バイパス通路と主排気通路との下流側接続部よりも下流側の主排気通路に、潜熱型蓄熱材を備える触媒が設けられている構成において、吸着材の脱離動作を行う際に、脱離熱に起因する排気ガスの温度低下によって、当該触媒の浄化能力が低下するのを良好に回避することができる。
【００２１】
第３または第４の発明によれば、車両ソーク時において、吸着材が吸着能力を回復するまでの間は、潜熱型蓄熱材を備える触媒の温度がその浄化率が高くなる浄化温度範囲内の温度に維持されるようになる。このため、車両ソーク時間が短いことで吸着材が冷え切れていないために吸着材の吸着能力が十分に回復されていないような状況下では、活性温度（または着火温度）が確保されている触媒によって、吸着材に吸着されなかった上記特定の成分を浄化することができる。一方、車両ソーク時間が長いことで触媒が冷えてしまったために触媒が所定の浄化能力を発揮できないような状況下では、十分な吸着能力を発揮できる状態にある吸着材によって、上記特定の成分を吸着して浄化することができる。このように、本発明によれば、潜熱型蓄熱材を備える触媒と吸着材との間で、排気エミッションの低減効果を効果的に補完し合うようにすることが可能となる。
【００２２】
第５の発明によれば、吸着材から上記特定の成分が脱離する際に脱離熱による排気ガスの温度低下が生じても、十分な浄化能力が確保される温度に維持された上記触媒によって、吸着材から脱離した上記特定の成分を確実に浄化できるようになる。
【００２３】
第６の発明によれば、吸着材からの上記特定の成分の脱離に伴う排気ガスの温度低下による触媒の温度低下を回避できるだけの排気熱が潜熱型蓄熱材にチャージされたか否かを、過不足なく正確に把握できるようになる。これにより、脱離動作の開始タイミングを最適化（最短化）することができる。
【００２４】
第７の発明によれば、吸着材から特定の成分が脱離する時の脱離量に合わせて、潜熱型蓄熱材の必要蓄熱量を適切に設定することができる。
【００２５】
第８の発明によれば、始動時の吸着量の多少に関わらず、吸着材の脱離動作を行う際の脱離熱に起因する排気ガスの温度低下によって、触媒の浄化能力が低下するのを良好に回避することができる。
【００２６】
第９の発明によれば、吸着材から特定の成分が脱離する時の脱離量に合わせて、潜熱型蓄熱材の必要蓄熱量を適切に設定することができる。
【００２７】
第１０の発明によれば、始動時の吸着材への吸着量の多少に関わらず、脱離動作の開始タイミングを最適化（最短化）することができる。
【００２８】
第１１の発明によれば、潜熱型蓄熱材に必要蓄熱量が蓄えられたと判別された場合に、吸着材に排気ガスが供給されることで、脱離動作が開始されるようになる。このため、始動時の吸着材への吸着量の多少に関わらず、脱離動作の開始タイミングを最適化（最短化）することができる。
【００２９】
第１２の発明によれば、潜熱型蓄熱材の各部位の温度情報に基づき、始動時の吸着量に応じた必要蓄熱量が潜熱型蓄熱材に蓄えられた時点を精度良く把握することができる。
【００３０】
第１３の発明によれば、潜熱型蓄熱材の複数部位間での熱伝導が遮断されるので、各部位の蓄熱量をより正確に把握することができるようになる。
【発明を実施するための最良の形態】
【００３１】
実施の形態１．
［実施の形態１のシステム構成］
図１は、本発明の実施の形態１における排気浄化装置を備える内燃機関システムの構成を説明するための図である。図１に示す内燃機関１０は、筒内に空気を取り込むための吸気通路１２と、筒内から排出された排気ガスが流れる排気通路とを備えている。
【００３２】
本実施形態の排気通路は、筒内から排気ガスを排出するための主排気通路１４と、後述するバイパス通路２０とを備えている。主排気通路１４には、上流側から順に、排気ガス中に含まれる未浄化成分（ＨＣ、ＮＯｘ、ＣＯ等）を浄化可能な前段触媒（Ｓ／Ｃ：Start Catalyst）１６、および、融解潜熱型の蓄熱材１８ａを備える後段触媒（ＵＦ／Ｃ：Underfloor Catalyst）１８が直列に配置されている。
【００３３】
より具体的には、蓄熱材１８ａは、後段触媒１８の基材に、触媒内部の排気ガス通路とは隔離された状態で格子状もしくは帯状に埋め込まれている。また、図１に示すように、当該後段触媒１８は、断熱材１８ｂによって周囲と隔離されるように覆われている。このような蓄熱材１８ａを備える後段触媒１８の構成は、本実施形態の特徴部分であるため、後に詳述するものとする。尚、以下、この蓄熱材１８ａを備える後段触媒１８を、「蓄熱触媒１８」と略することがある。
【００３４】
本実施形態のシステムは、主排気通路１４を迂回する通路として、バイパス通路２０を備えている。バイパス通路２０は、前段触媒１６の下流に位置する上流側接続部２０ａにおいて主排気通路１４から分岐し、当該上流側接続部２０ａの下流に位置する下流側接続部２０ｂにおいて再び主排気通路１４に合流するように構成されている。また、上流側接続部２０ａには、排気ガスの流入先を主排気通路１４とバイパス通路２０との間で切り替えるための切替バルブ（Ｖ１）２２が配置されている。
【００３５】
また、バイパス通路２０の途中には、排気ガス中に含まれる特定の吸着対象成分（ＨＣ、ＮＯｘ）および水分（吸着材２４への上記吸着対象成分の吸着を阻害する成分）を吸着する機能を有する吸着材２４が配置されている。吸着材２４の吸着容量は、標準状態での始動時に吸着材２４に導入される上記吸着対象成分や上記吸着阻害成分を吸着できるように余裕をもって設定されている。
【００３６】
水分やＨＣの吸着に適した吸着材としては、例えば、ゼオライト系の素材を用いることができ、ＮＯｘの吸着に適した吸着材としては、例えば、ゼオライトに鉄Ｆｅを担持した素材を用いることができる。更に、低級ＨＣの吸着に適した吸着材としては、例えば、フェリエライトに銀Ａｇを担持した素材を用いることができる。
【００３７】
また、吸着材２４を収納するケーシングの外周には、吸着材２４の冷却性能を所望の値に調整するためのフィン（放熱部材）２４ａが設けられている。この吸着材２４の冷却性能の設定は、本実施形態の特徴部分であるため、後に詳述するものとする。
【００３８】
また、蓄熱触媒１８の入口側の主排気通路１４には、蓄熱触媒１８に流入する排気ガスの温度を検出するための温度センサ２６が取り付けられている。更に、蓄熱触媒１８には、当該蓄熱触媒１８の温度（蓄熱材１８ａの温度）を検出するための温度センサ２８が組み込まれている。
【００３９】
本実施形態のシステムは、ＥＣＵ(Electronic Control Unit)３０を備えている。ＥＣＵ３０には、上記温度センサ２６、２８とともに内燃機関１０を制御するための各種センサが接続されている。また、ＥＣＵ３０には、上述した切替バルブ２２とともに各種アクチュエータが接続されている。
【００４０】
以上のように構成された本実施形態のシステムによれば、内燃機関１０の通常運転時には、バイパス通路２０が閉塞されるように（図１に示す「ｂ」の状態に）切替バルブ２２を制御することによって、排気ガスがバイパス通路２０を介さずにそのまま主排気通路１４を通って流れるようにすることができる。
【００４１】
また、本実施形態のシステムによれば、冷間始動時に排気ガス中の吸着対象成分を吸着材２４に吸着させる際には、主排気通路１４が閉塞されるように（図１に示す「ａ」の状態に）切替バルブ２２を制御することによって、内燃機関１０から排出された排気ガスの全部をバイパス通路２０の吸着材２４に導入することができる。これにより、上記吸着対象成分や水分を吸着材２４に吸着させて取り除くことができ、前段触媒１６等が未だ活性化していない冷間始動時に、排気ガス中に含まれる未浄化成分（上記吸着対象成分）が大気中に放出されるのを抑制することができる。
【００４２】
また、本実施形態のシステムによれば、吸着材２４の吸着動作が完了してから吸着材２４からの吸着対象成分等の脱離動作を行う前の段階においては、切替バルブ２２を図１に示す「ｂ」状態に制御することで、始動後に暖まってきた排気ガスの熱を蓄熱触媒１８が備える蓄熱材１８ａに蓄えておくことができる（脱離動作（パージ動作）が実行可能となるタイミングを待つパージ待機期間）。
【００４３】
また、本実施形態のシステムによれば、内燃機関１０の始動後に蓄熱触媒１８の暖機が完了した後には、主排気通路１４が閉塞されるように（図１に示す「ａ」の状態に）切替バルブ２２を制御することによって、高温の排気ガスを吸着材２４に導入して吸着材２４から吸着対象成分や水分を脱離させたうえで、活性状態にある蓄熱触媒１８を用いて脱離した未浄化成分を浄化することができる。
【００４４】
更に、本実施形態のシステムによれば、当該脱離動作が完了した後に、切替バルブ２２を図１に示す「ｂ」状態に再び制御することで、脱離動作時に高温の排気ガスの供給を受けて高温状態にある吸着材２４を冷却することができるとともに、蓄熱触媒１８に排気熱をチャージすることができる。
【００４５】
ところで、本実施形態のシステムと同様に、吸着材と当該吸着材の下流側に触媒を備えるシステムにおいて、吸着材に吸着されていた炭化水素などの吸着対象成分（未浄化成分）や水分などの吸着阻害成分が吸着材から脱離する際には、脱離反応に伴う脱離熱の影響によって、吸着材を通過した排気ガスの温度が低下してしまう。その結果、吸着材の下流側に配置された触媒に流入する排気ガスの温度が低下することになるので、当該触媒の温度が低下してしまい、吸着材から脱離した上記吸着対象成分を当該触媒によって十分に浄化することが困難となる可能性がある。
【００４６】
［蓄熱材の特徴的な構成］
本実施形態は、吸着材２４から吸着対象成分等を脱離させる脱離動作時に、脱離熱に起因する排気ガスの温度低下によって、吸着材２４の下流側に配置された後段触媒１８の浄化能力が低下するのを回避すべく、後段触媒１８が備える蓄熱材１８ａを次のように構成した点に特徴を有している。
【００４７】
図２は、図１に示す蓄熱材１８ａを備える蓄熱触媒１８の構成を説明するための図である。より具体的には、図２は、蓄熱触媒１８がその内部に蓄えた熱を相転移を伴って放出している際の蓄熱触媒１８の床温とその熱放出量との関係を表した図である。
図２に示すように、本実施形態では、蓄熱材１８ａは、蓄熱触媒１８が所定の十分な浄化率を確保できる温度よりも高い温度で（蓄熱触媒１８の浄化率が高くなる特定の浄化温度範囲で）、固相と液相間での相転移が起きるように、蓄熱材１８ａの材料等が選定されて構成されている。
【００４８】
また、本実施形態の蓄熱材１８ａの潜熱蓄熱容量（以下、「潜熱容量」）Ｃｌａｔは、相転移に要する総熱量が吸着材２４から特定の成分（上記吸着対象成分（ＨＣ、ＮＯｘ）や吸着阻害成分（水分））が脱離する際の総脱離熱量（≒気化潜熱量）Ｃｄｅｓｏｒｐ以上となるように設定されている。尚、この総脱離熱量Ｃｄｅｓｏｒｐは、上記標準状態を基準に設定されている。
【００４９】
このような設定によれば、吸着材２４から吸着対象成分等を脱離させる脱離動作時に、蓄熱触媒１８に流入する排気ガスの温度が吸着材２４での脱離熱に起因して低下した場合であっても、当該蓄熱触媒１８が所定の浄化率を確保できる温度よりも高い温度で相転移が起きるように構成された蓄熱材１８ａに、上記総脱離熱量Ｃｄｅｓｏｒｐ以上の潜熱容量Ｃｌａｔの熱が蓄えられているので、蓄熱触媒１８の温度が蓄熱材１８ａの相転移温度よりも低下するのを回避することができる。このため、本実施形態の蓄熱材１８ａの構成によれば、吸着材２４の脱離動作を行う際に、吸着材２４から脱離した吸着対象成分の浄化を担う後段触媒１８の床温を活性温度よりも低下させることなく、安定して高い浄化率を確保できるようになる。
【００５０】
［吸着材の冷却性能と蓄熱材の保温性能の設定］
吸着材２４の吸着能力は、吸着材２４の温度が高くなるほど低下する。このため、脱離動作時の高温の排気ガスが供給されたことで高温状態となった吸着材２４においては、次回の吸着動作は、吸着材２４の温度が所定の温度以下に冷却された後に可能となる。従って、脱離動作が行われたことで吸着材２４が高温状態にある状況下で内燃機関１０が停止された場合には、内燃機関１０が停止してからその後に内燃機関１０が再始動されるまでの時間（車両ソーク時間）が短くなるほど、再始動時の吸着材２４の温度が冷え切れていない状態となり、十分な吸着能力を確保することが困難となる。
【００５１】
本実施形態は、車両ソーク時間の長短に関わらず、再始動時に安定した排気エミッション低減効果を得られるようにすべく、次のように、吸着材２４の冷却性能と蓄熱材１８ａの保温性能を設定した点に特徴を有している。
【００５２】
図３は、本発明の実施の形態１における吸着材２４の冷却性能および蓄熱材１８ａの保温性能の設定を説明するための図である。より具体的には、図３は、脱離動作が行われたことで吸着材２４が高温状態になり、かつ、蓄熱触媒１８が蓄熱材１８ａの相転移温度よりも高温状態になっている状態からの車両ソーク時間を表している。
【００５３】
図３に示すように、車両ソーク時の吸着材２４は、車両ソーク時間の経過とともに放熱が進んで温度が低下していくので、それに伴い、吸着材２４の吸着能力が回復していく。図３における時間ｔ１は、吸着材２４の吸着能力が始動時の排気エミッションを所定の十分な吸着率で浄化できるレベルにまで回復した時点を示している。
【００５４】
一方、既述したように、蓄熱材１８ａの相転移温度は、蓄熱触媒１８の浄化率を十分に確保できる温度に設定されている。このため、図３に示すように、車両ソーク時の蓄熱触媒１８は、車両ソーク時間の経過とともに相転移が開始してから完了するまでの間は、顕熱としては変化せずに蓄熱触媒１８の十分な浄化率が確保された状態で放熱が進んでいき、その後、相転移が完了してから蓄熱触媒１８の温度が低下していく。図３における時間ｔ２は、蓄熱触媒１８の浄化能力が始動時の排気エミッションを所定の十分な浄化率で浄化できるレベルを下回る時点（当該蓄熱触媒１８が活性温度または着火温度を下回る時点）を示している。
【００５５】
本実施形態では、図３に示すように、車両ソーク時において、吸着材２４の吸着能力が所定のレベルにまで回復するまでに要する時間ｔ１よりも、蓄熱触媒１８の浄化能力が相転移を伴って所定のレベルを維持できる時間（当該蓄熱触媒１８が活性温度または着火温度を維持できる時間）ｔ２が長くなるように、吸着材２４の冷却性能および蓄熱材１８ａの保温性能を設定している。言い換えれば、吸着材２４からの未浄化成分の脱離完了後から当該吸着材２４の吸着性能が回復するまでに要する時間が、潜熱型蓄熱材１８ａの相転移の開始から終了までに要する時間よりも短くなるように、吸着材２４の冷却性能および蓄熱材１８ａの保温性能を設定している。
【００５６】
尚、上記関係（ｔ１＜ｔ２）を満たすための吸着材２４側の冷却性能の設定は、フィン（放熱部材）２４ａの形状や材質等の選定によって可能である。また、上記関係（ｔ１＜ｔ２）を満たすための蓄熱触媒１８側の保温性能の設定は、断熱材１８ｂの材質や使用量等の選定による断熱効果の調整や、蓄熱材１８ａの潜熱容量Ｃｌａｔの調整によって可能である。
【００５７】
上記図３に示す設定によれば、車両ソーク時において、吸着材２４が吸着能力を回復するまでの間は、蓄熱触媒１８の温度が所定の浄化率を確保できる範囲内の温度に維持されるようになる。このため、車両ソーク時間が短いことで吸着材２４が冷え切れていないために吸着材２４の吸着能力が十分に回復されていないような状況下では、活性温度（または着火温度）が確保されている蓄熱触媒１８によって、吸着材２４に吸着されなかった吸着対象成分を浄化することができる。
【００５８】
一方、車両ソーク時間が長いことで蓄熱触媒１８が冷えてしまったために蓄熱触媒１８が所定の浄化能力を発揮できないような状況下では、十分な吸着能力を発揮できる状態にある吸着材２４によって、吸着対象成分を吸着して浄化することができる。このように、本実施形態の設定によれば、吸着材２４と蓄熱触媒１８との間で、排気エミッションの低減効果を効果的に補完し合うようにすることが可能となる。
【００５９】
［脱離動作の開始タイミングの判定手法］
図４は、本発明の実施の形態１における脱離動作の開始タイミングの特徴的な判定手法を説明するための図である。より具体的には、図４は、吸着動作が完了した後に蓄熱触媒１８に排気熱をチャージしている際の蓄熱触媒１８の床温変化を排気熱チャージ量との関係で表した図である。
【００６０】
図４に示すように、蓄熱材１８ａが固体状態にある状況下で蓄熱触媒１８に対して排気熱がチャージされていくと、蓄熱触媒１８の床温は、固体から液体への蓄熱材１８ａの相転移が開始される時点までは次第に上昇していく。蓄熱材１８ａの相転移が開始されてから完了するまでは、蓄熱触媒１８の顕熱の変化は生じず、蓄熱触媒１８の床温は一定値を示す。そして、蓄熱材１８ａの相転移が完了（液化が完了）した後は、蓄熱触媒１８の床温が再び上昇していく。
【００６１】
そこで、本実施形態では、温度センサ２８によって検出される蓄熱触媒１８（蓄熱材１８ａ）の温度に基づき、蓄熱材１８ａの相転移が起こる温度よりも蓄熱触媒１８の温度が高い場合に、吸着材２４に高温の排気ガスを供給して脱離動作を行うようにした。より具体的には、本実施形態では、蓄熱触媒１８の温度が、固相から液相への蓄熱材１８ａの相転移が完了した後に蓄熱触媒１８の温度が上昇し始める変曲点（図４参照）に達したか否かを判定するようにした。そして、蓄熱触媒１８の温度が当該変曲点に達したと判定されたタイミングで、吸着材２４に高温の排気ガスを供給するようにした（すなわち、脱離動作を開始するようにした）。
【００６２】
既述したように、蓄熱材１８ａは、蓄熱触媒１８が所定の浄化率を確保できる温度よりも高い温度で相転移が起きるように構成されているとともに、固相から液相への相転移完了後の蓄熱材１８ａには、上記脱離熱量Ｃｄｅｓｏｒｐ以上の潜熱容量Ｃｌａｔの熱が蓄えられている。このため、当該相転移が起こる温度よりも蓄熱触媒１８（蓄熱材１８ａ）の温度が高い場合に、脱離動作を開始するようにしたことで、吸着材２４から吸着対象成分等が脱離する際に吸熱側（冷却側）の脱離熱による排気ガスの温度低下が生じても、十分な浄化率が確保される温度に維持された蓄熱触媒１８によって、吸着材２４から脱離した吸着対象成分を確実に浄化できるようになる。
【００６３】
また、特に本実施形態では、蓄熱触媒１８（蓄熱材１８ａ）の温度が、固相から液相への蓄熱材１８ａの相転移が完了した後に蓄熱触媒１８の温度が上昇し始める変曲点（図４参照）に達したと判定されたタイミングで、脱離動作を開始するようにしている。内燃機関１０の停止タイミングは、車両の運転者による任意のタイミングで行われるため、次回の始動時の吸着動作を確実に行えるようにするためには、吸着動作が完了した吸着材２４から早期に吸着対象成分等を脱離させておくことが好ましい。上記脱離動作の開始タイミングによれば、吸着材２４からの吸着対象成分等の脱離に伴う排気ガスの温度低下による蓄熱触媒１８の温度低下を回避できるだけの排気熱が蓄熱材１８ａにチャージされたか否かを、過不足なく正確に把握できるようになる。これにより、脱離動作の開始タイミングを最適化（最短化）することができる。
【００６４】
尚、上述した実施の形態１においては、後段触媒（蓄熱触媒１８）が前記第１の発明における「触媒」に相当している。
また、切替バルブ２２が上記第５の発明における「流路切替手段」に、温度センサ２８が前記第５の発明における「温度取得手段」に、それぞれ相当しているとともに、ＥＣＵ３０が温度センサ２８の出力に基づいて切替バルブ２２を制御することで前記第５の発明における「流路制御手段」が実現されている。
また、ＥＣＵ３０が温度センサ２８の出力に基づいて蓄熱触媒１８の温度の変曲点を判定することにより前記第６の発明における「温度判定手段」が実現されている。
【００６５】
実施の形態２．
次に、図５を参照して、本発明の実施の形態２について説明する。
［実施の形態２のシステム構成］
図５は、本発明の実施の形態２における排気浄化装置を備える内燃機関システムの構成を説明するための図である。尚、図５において、上記図１に示す構成要素と同一の要素については、同一の符号を付してその説明を省略または簡略する。
【００６６】
図５に示すように、本実施形態においても、前段触媒１６よりも下流側において主排気通路４０を迂回する通路として、実施の形態１のバイパス通路２０と同様の第１バイパス通路４２を備えている。そして、第１バイパス通路４２には、吸着材２４が備えられており、また、第１バイパス通路４２の第１上流側接続部４２ａには、排気ガスの流入先を主排気通路４０と第１バイパス通路４２との間で切り替えるための第１切替バルブ（Ｖ１）４４が配置されている。
【００６７】
また、本実施形態においても、第１バイパス通路４２の第１下流側接続部４２ｂよりも下流側の主排気通路４０には、融解潜熱型の蓄熱材４６ａを備える後段触媒（蓄熱触媒）４６が配置されている。
【００６８】
更に、本実施形態では、主排気通路４０を迂回するもう１つの通路として、第２バイパス通路４８が設けられている。第２バイパス通路４８は、前段触媒１６の下流であって第１上流側接続部４２ａの上流に位置する第２上流側接続部４８ａにおいて主排気通路４０から分岐し、当該第２上流側接続部４８ａの下流であって第１上流側接続部４２ａの上流に位置する第２下流側接続部４８ｂにおいて再び主排気通路４０に合流するように構成されている。また、第２下流側接続部４８ｂには、排気ガスの流入先を主排気通路４０と第２バイパス通路４８との間で切り替えるための第２切替バルブ（Ｖ２）５０が配置されている。
【００６９】
更にまた、本実施形態では、図５に示すように、蓄熱触媒４６と第２バイパス通路４８との間で熱交換を行う機能を有する熱交換器５２が備えられている。熱交換器５２は、蓄熱触媒４６と第２バイパス通路４８とを外側から覆うように構成されている。本実施形態の断熱材５４は、熱交換器５２を覆うように取り付けられている。また、このような断熱材５４により、実施の形態１の蓄熱触媒１８と同様に、この蓄熱触媒４６も、周囲と隔離されるように覆われている。
【００７０】
以上のように構成された本実施形態のシステムによれば、吸着動作や脱離動作を行う際、更には、吸着動作完了後であって脱離動作開始前の段階での蓄熱触媒１８への排気熱チャージ動作を行う際に、排気ガスの経路を、蓄熱触媒１８との間で熱交換機能を有する第２バイパス通路４８を通る経路と、当該第２バイパス通路４８を通らない経路の間で任意に切り替えできるようになる。これにより、以下に説明するような優れた効果を奏することができる。
【００７１】
すなわち、先ず、吸着動作を行う際について説明する。
吸着動作を行う際に、蓄熱触媒１８および熱交換器５２が比較的冷えている場合（内燃機関１０の停止から次の始動までの間に十分な期間があったような場合）には、第２切替バルブ５０を図５に示す「ｂ」状態に制御することで、排気ガスを熱交換器５２によって冷やしたうえで吸着材２４に供給することができる。これにより、吸着材２４の吸着効率を高めることができる。
【００７２】
一方、吸着動作を行う際に、蓄熱触媒１８および熱交換器５２が比較的熱くなっている場合（内燃機関１０の停止から次の始動までの時間が短かったような場合）には、第２切替バルブ５０を図５に示す「ａ」状態に制御することで、吸着材２４に向かうガスが熱交換器５２を通って温められるのを回避することができる。このように、本実施形態の構成によれば、吸着動作時に吸着材２４に投入する排気ガスの温度を最適化することができる。
【００７３】
次に、脱離動作を行う際について説明する。
脱離動作を行う際に、排気ガスの温度が比較的高いと判断される場合には、第２切替バルブ５０を図５に示す「ｂ」状態に制御することで、排気ガスを熱交換器５２によって冷やしたうえで吸着材２４に供給することができる。
【００７４】
一方、脱離動作を行う際に、排気ガスの温度が比較的低いと判断される場合には、第２切替バルブ５０を図５に示す「ａ」状態に制御することで、吸着材２４に向かうガスが熱交換器５２を通って冷やされるのを回避することができる。このように、本実施形態の構成によれば、脱離動作時に吸着材２４に投入する排気ガスの温度の安定化を良好に図ることができる。
【００７５】
次に、吸着動作完了後であって脱離動作開始前の段階での蓄熱触媒１８への排気熱チャージ動作を行う際について説明する。
図５に示す構成では、第２上流側接続部４８ａではなく第２下流側接続部４８ｂに第２切替バルブ５０が設けられている。当該排気熱チャージ動作を行う際には、第２切替バルブ５０を図５に示す「ｂ」状態に制御するようにする（尚、この場合、第１切替バルブ４４は図５に示す「ｂ」状態に制御する）。
【００７６】
このような排気熱チャージ動作によれば、切替バルブ５０、４４よりも上流側の部位を流れる排気ガス、つまり、切替バルブ５０、４４で熱損失が生ずる前のより高温の排気ガスの熱を、熱交換器５２を介して蓄熱触媒４６に供給できるようになる。このため、蓄熱触媒４６への排気熱のチャージ速度を良好に高めることができるとともに、蓄熱触媒４６の活性を良好に早めることができる。これにより、吸着動作完了から脱離動作開始までに要する時間を良好に短縮することが可能となる。
【００７７】
実施の形態３．
次に、図６乃至図９を参照して、本発明の実施の形態３について説明する。
［実施の形態３のシステム構成］
図６は、本発明の実施の形態３における排気浄化装置を備える内燃機関システムの構成を説明するための図である。尚、図６において、上記図１に示す構成要素と同一の要素については、同一の符号を付してその説明を省略または簡略する。
【００７８】
本実施形態のシステムは、後段触媒（蓄熱触媒）６０が備える融解潜熱型の蓄熱材６０ａの構成が異なる点を除き、上述した実施の形態１のシステムと同様に構成されている。より具体的には、図６に示すように、本実施形態の蓄熱材６０ａは、排気ガスの流れ方向に直交する方向で３つの部位に分割されている。
【００７９】
また、図６に示すように、３つの分割された蓄熱材６０ａの各部位間、および、蓄熱材６０ａを備える後段触媒６０と周囲との間は、上記断熱材１８ｂと同様の断熱材６０ｂによってそれぞれ仕切られている。
【００８０】
また、３つに分割された蓄熱材６０ａの合計の潜熱容量は、上述した実施の形態１の蓄熱材１８ａと同等の潜熱容量となるように設定されている。すなわち、蓄熱材６０ａの相転移に要する総熱量が、吸着容量一杯の上記特定の成分が吸着材２４に吸着されている場合に当該特定の成分が脱離する際の総脱離熱量（≒気化潜熱量）Ｃｄｅｓｏｒｐ以上となるように、蓄熱材６０ａの３つの部位の潜熱容量の合計量が設定されている。
【００８１】
更に、３つに分割された蓄熱材６０ａの各部位には、それぞれの部位での蓄熱触媒６０の温度（蓄熱材６０ａの温度）を検出するための温度センサ６２、６４、６６がそれぞれ組み込まれている。これらの温度センサ６２、６４、６６は、ともに本実施形態のＥＣＵ６８に接続されている。
【００８２】
［実施の形態３の制御］
ところで、内燃機関１０の始動条件によって、始動時の吸着動作の際に吸着材２４に吸着される上記特定の成分の吸着量が変化する。より具体的には、始動時の前段触媒１６の温度が高いほど、当該前段触媒１６が活性化するまでに要する時間が短くなるので、吸着材２４に吸着される上記特定の成分の吸着量が少なくなる。
【００８３】
上記のように、吸着材２４の吸着容量よりも少ない量の上記特定の成分しか吸着されていない状況下においては、上述した実施の形態１のように、吸着材２４の吸着容量一杯の上記特定の成分が当該吸着材２４から脱離する際の総脱離熱量Ｃｄｅｓｏｒｐ以上の熱量が蓄熱材６０ａにチャージされるまで脱離動作の開始を遅らせる必要がないといえる。
【００８４】
そこで、本実施形態では、今回の始動時の吸着材２４の吸着量に基づいて、脱離動作時の蓄熱触媒６０の温度低下防止のために蓄熱材６０ａにチャージしておくべき必要蓄熱量を設定するようにした。
【００８５】
そして、そのために、今回の始動時の吸着材２４の吸着量および蓄熱材６０ａにチャージされる蓄熱量に基づいて、蓄熱材６０ａへの投入熱量を調整するようにした。より具体的には、今回の始動時における吸着材２４の吸着量分の上記特定の成分が吸着材２４から脱離する際の脱離熱量以上の熱量が蓄熱材６０ａに蓄熱された時点で、脱離動作時の蓄熱触媒６０の温度低下に打ち勝つための蓄熱材６０ａへの熱チャージを終了させる（パージ動作待機期間を終了させる）とともに、吸着材２４の脱離動作を開始させるようにした。
【００８６】
図７は、上記の機能を実現するために、本実施の形態３においてＥＣＵ６８が実行するルーチンのフローチャートである。尚、本ルーチンは、始動時の吸着材２４の吸着動作の完了時に起動されるものとする。
図７に示すルーチンでは、先ず、蓄熱触媒６０への熱チャージが開始される（ステップ１００）。具体的には、本ステップ１００では、始動時の吸着動作の完了を受けて、切替バルブ２２が図６に示す「ｂ」状態に制御される。また、その後に必要蓄熱量が蓄熱材６０ａに蓄熱されるまでの間、パージ動作の実行が保留される（パージ待機期間）。
【００８７】
次に、蓄熱触媒６０（蓄熱材６０ａ）の熱チャージ量（蓄熱量）が推定される（ステップ１０２）。
図８は、パージ待機期間中の蓄熱触媒６０の各部位での温度変化を表したタイムチャートである。
蓄熱触媒６０への熱チャージが行われている場合には、３つに分割された蓄熱材６０ａの上流側の部位から順に、投入された排気熱がチャージされていく。このため、蓄熱材６０ａの最上流側の部位において、最も早く相転移が完了し、図８（Ａ）に示すように、温度Ｔｃａｔ１に温度変曲点が現れる。
【００８８】
その後、３分割された蓄熱材６０ａの中央部位において、投入された排気熱がチャージされていき、当該中央部位での相転移が完了すると、図８（Ｂ）に示すように、温度Ｔｃａｔ２にも温度変曲点が現れることになる。同様に、その後、蓄熱材６０ａの最下流側の部位において、投入された排気熱がチャージされていき、当該最下流部位での相転移が完了すると、図８（Ｃ）に示すように、温度Ｔｃａｔ３にも温度変曲点が現れることになる。
【００８９】
従って、温度センサ６２、６４、６６の出力変化に基づき、各部位の温度、Ｔｃａｔ１〜３の温度変曲点を任意に取得していくことにより、蓄熱材６０ａの熱チャージ量（蓄熱量）を推定することができる。
【００９０】
図９は、蓄熱材６０ａの蓄熱量と推定投入熱量との関係を表した図である。尚、蓄熱材６０ａへの推定投入熱量は、例えば、蓄熱触媒６０の入口の排気ガス温度に基づいて推定可能である。
図９に示すように、蓄熱材６０ａへの投入熱量が増えるにつれ、蓄熱材６０ａの蓄熱量が増えていく。
【００９１】
そこで、上記図８を参照して説明した温度変曲点に基づく蓄熱量の推定に代え、図９に示す蓄熱量と推定投入熱量との関係を予めＥＣＵ６８にマップや関係式として記憶させておき、本ステップ１０２において、温度センサ２６により検出される蓄熱触媒６０の入口の排気ガス温度に基づいて推定投入熱量を算出したうえで、そのようなマップ等から蓄熱材６０ａの蓄熱量を取得するようにしてもよい。
【００９２】
上記図８を参照して説明した温度変曲点に基づく蓄熱量の推定手法によれば、温度変曲点情報に基づき、精度良く蓄熱量を推定可能である。しかしながら、推定される蓄熱量は、各温度変曲点に達したと判定された時であるので不連続となる。これに対し、上記図９に示す推定手法によれば、熱チャージ時の推定投入熱量の変化に基づいて、蓄熱量を連続的に推定することができる。
【００９３】
更には、図９に示すように、ＥＣＵ６８に予め記憶させておく蓄熱量と推定投入熱量との関係に、蓄熱材６０ａの各部位の温度変曲点情報を加味させておいてもよい。このような推定手法によれば、熱チャージ時の推定投入熱量と温度変曲点情報とを用いて、蓄熱量を精度良く連続的に推定することができる。
【００９４】
また、図７に示すルーチンでは、上記ステップ１００および１０２の処理と並行して、ステップ１０４〜１０８の処理が実行されている。具体的には、先ず、ステップ１０４では、今回の内燃機関１０の始動時における吸着材２４の吸着量が推定される（ステップ１０４）。
【００９５】
既述したように、始動時のエンジン冷却水温度や前段触媒１６の温度が高いほど、前段触媒１６の活性化が早くなる。従って、吸着材２４の吸着量は、始動時のエンジン冷却水温度や前段触媒１６の温度に基づいて推定することができる。尚、エンジン冷却水温度は、図示省略する水温センサの出力に基づき取得でき、また、前段触媒１６の温度は、温度センサによって直接的にセンシングしてもよく、或いは、エンジン冷却水温度等から推定してもよい。
【００９６】
次に、上記ステップ１０４において推定された吸着量でのパージ動作時の脱離熱量が推定される（ステップ１０６）。吸着量とパージ動作時の脱離熱量とは、吸着量が多いほど、脱離熱量も大きくなるという比例関係にある。このため、吸着量とパージ動作時の脱離熱量との関係を予めＥＣＵ６８に記憶しておくことにより、吸着量の推定値に基づき、今回の始動時の該吸着量に対応する脱離熱量を推定することができる。
【００９７】
次に、上記ステップ１０６において取得された脱離熱量の推定値がＥＣＵ６８内のメモリーに記憶される（ステップ１０８）。本ステップでメモリーされた推定脱離熱量は、次のステップ１１０において使用される。
【００９８】
図７に示すルーチンでは、上記１０２の処理が実行された後は、次いで、上記ステップ１０２において取得された蓄熱触媒６０の熱チャージ量（蓄熱量）が上記ステップ１０６において取得された推定脱離熱量以上となったか否かが判別される（ステップ１１０）。
【００９９】
その結果、上記ステップ１１０の判定が不成立である場合、つまり、現在の蓄熱触媒６０の熱チャージ量が推定脱離熱量との関係で未だ不十分であると判断できる場合には、蓄熱触媒６０への熱チャージ（排気熱の投入）が継続して実行される。
【０１００】
一方、上記ステップ１１０の判定が成立した場合、つまり、今回の始動時の吸着量に対応する脱離熱量に耐え得る蓄熱量が蓄熱触媒６０にチャージされたと判断できる場合には、蓄熱触媒６０への熱チャージを終了すべきタイミングであると判定される（ステップ１１２）。言い換えれば、パージ動作の待機期間を終了すべきタイミングであると判定される。
【０１０１】
このため、この場合には、吸着材２４のパージ動作（脱離動作）が開始される（ステップ１１４）。より具体的には、切替バルブ２２が図６に示す「ｂ」状態に制御されることによって、吸着材２４に高温の排気ガスが導入される。
【０１０２】
その後、吸着材２４からの上記特定の成分の脱離が完了したと判定された場合に、吸着材２４のパージ動作が完了される（ステップ１１６）とともに、上記ステップ１０８のメモリー値がリセットされる。より具体的には、切替バルブ２２が図６に示す「ａ」状態に再び制御されることによって、吸着材２４への排気ガスの供給が停止される。
【０１０３】
以上説明した図７に示すルーチンによれば、今回の始動時における吸着材２４の吸着量および蓄熱材６０ａにチャージされる蓄熱量に基づいて、蓄熱材６０ａへの投入熱量が調整されることになる。より具体的には、今回の始動時における吸着量に対応する推定脱離熱量以上の熱量が蓄熱材６０ａに蓄熱された時点で、吸着材２４のパージ動作が開始されるようになる。つまり、上記ルーチンによれば、内燃機関１０の始動条件の影響で始動時の吸着量が上記標準状態よりも少ないような場合であっても、蓄熱材６０ａの蓄熱容量一杯まで蓄熱されるのを待たずに必要蓄熱量が蓄熱材６０ａに投入された時点で、パージ動作が開始されることになる。これにより、始動時の吸着材２４への吸着量の多少に関わらず、吸着動作の完了後からパージ動作の開始までに要する時間（パージ待機期間）を最適化（最短化）することができ、つまり、パージ動作の開始タイミングを最適化（最短化）することができる。
【０１０４】
また、言い換えれば、上記ルーチンによれば、今回の始動時における吸着量に対応する推定脱離熱量以上の熱量が蓄熱材６０ａに蓄熱された時点で、パージ動作に先立って蓄熱材６０ａに排気熱を投入しておく動作が終了されることになる。つまり、上記ルーチンによれば、始動時の吸着量に基づいて、脱離動作時の蓄熱触媒６０の温度低下防止のために蓄熱材６０ａにチャージしておくべき必要蓄熱量を適切に設定しておくことが可能となる。これにより、吸着材２４から上記特定の成分が脱離する時の脱離量に合わせて、蓄熱材６０ａの蓄熱量を適切に設定することができる。
【０１０５】
ところで、上述した実施の形態１においては、今回の始動時における吸着量に対応する推定脱離熱量以上の熱量が蓄熱材６０ａに蓄熱された時点で、吸着材２４のパージ動作を開始するようにしている。しかしながら、本発明において、取得された吸着量および蓄熱量に基づいて、潜熱型蓄熱材へ投入する熱量を調整する投入熱量調整手段は、このような手法によって実現されるものに限定されない。すなわち、例えば、今回の始動時における吸着量に対応する推定脱離熱量以上の熱量が蓄熱材６０ａに蓄熱された時点で、蓄熱材６０ａへの排気熱の投入を停止させて、他の手段（例えば、蓄熱触媒６０をバイパスするような通路上に配置された触媒）に排気熱を投入するように切り替えるようなものであってもよい。
【０１０６】
また、上述した実施の形態１においては、断熱材６０ｂで仕切るようにして３分割された蓄熱材６０ａを備えるようにしている。これにより、各部位間での熱伝導が遮断されるので、各部位の蓄熱量をより正確に把握することができる。しかしながら、図８に示すような蓄熱材６０ａの各部位の温度変曲点を取得するうえでは、本発明の潜熱型蓄熱材は、必ずしも蓄熱材６０ａのように分割されていなくてもよい。具体的には、上述した実施の形態３と同様に、蓄熱材の各部位の温度を多点で取得するようにしておくとともに、それぞれの温度取得位置での相転移完了時の蓄熱量と当該温度取得位置情報との関係を予めＥＣＵ６８に記憶させておけばよい。
【０１０７】
尚、上述した実施の形態３においては、ＥＣＵ６８が、上記ステップ１０４の処理を実行することにより前記第７の発明における「吸着量取得手段」が、上記ステップ１００〜１１４の処理を実行することにより前記第７の発明における「蓄熱量設定手段」が、それぞれ実現されている。
また、ＥＣＵ６８が、上記ステップ１１０および１１２の処理を実行することにより前記第９の発明における「投入熱量調整手段」が、上記ステップ１０２の処理を実行することにより前記第９の発明における「蓄熱量取得手段」が、それぞれ実現されている。
また、ＥＣＵ６８が、上記ステップ１１０の処理を実行することにより前記第１０の発明における「蓄熱量判別手段」が、上記ステップ１１４の処理を実行することにより前記第１０の発明における「脱離動作実行手段」が、それぞれ実現されている。
また、ＥＣＵ６８が上記ステップ１１４の処理を実行することにより前記第１１の発明における「流路制御手段」が実現されている。
また、温度センサ６２、６４、６６が前記第１２の発明における「温度取得手段」に相当している。
【図面の簡単な説明】
【０１０８】
【図１】本発明の実施の形態１における排気浄化装置を備える内燃機関システムの構成を説明するための図である。
【図２】図１に示す蓄熱材を備える蓄熱触媒の構成を説明するための図である。
【図３】本発明の実施の形態１における吸着材の冷却性能および蓄熱材の保温性能の設定を説明するための図である。
【図４】本発明の実施の形態１における脱離動作の開始タイミングの特徴的な判定手法を説明するための図である。
【図５】本発明の実施の形態２における排気浄化装置を備える内燃機関システムの構成を説明するための図である。
【図６】本発明の実施の形態３における排気浄化装置を備える内燃機関システムの構成を説明するための図である。
【図７】本発明の実施の形態３において実行されるルーチンのフローチャートである。
【図８】パージ待機期間中の蓄熱触媒の各部位での温度変化を表したタイムチャートである。
【図９】蓄熱材の蓄熱量と推定投入熱量との関係を表した図である。
【符号の説明】
【０１０９】
１０  内燃機関
１４、４０  主排気通路
１６  前段触媒
１８、４６、６０  後段触媒（蓄熱触媒）
１８ａ、４６ａ、６０ａ  融解潜熱型蓄熱材
１８ｂ、５４、６０ｂ  断熱材
２０  バイパス通路
２０ａ  上流側接続部
２０ｂ  下流側接続部
２２  切替バルブ
２４  吸着材
２６、２８、６２、６４、６６  温度センサ
３０、６８  ＥＣＵ(Electronic Control Unit)
４２  第１バイパス通路
４２ａ  第１上流側接続部
４２ｂ  第１下流側接続部
４４  第１切替バルブ
４８  第２バイパス通路
４８ａ  第２上流側接続部
４８ｂ  第２下流側接続部
５０  第２切替バルブ
５２  熱交換器
Ｃｄｅｓｏｒｐ  総脱離熱量
Ｃｌａｔ  潜熱容量
【図１】
2010001779.tif 000003
【図２】
2010001779.tif 000004
【図３】
2010001779.tif 000005
【図４】
2010001779.tif 000006
【図５】
2010001779.tif 000007
【図６】
2010001779.tif 000008
【図７】
2010001779.tif 000009
【図８】
2010001779.tif 000010
【図９】
2010001779.tif 000011